(57)【特許請求の範囲】
【請求項１】
携帯電話機を充電するとともに、外部装置と結合できる充電器において、
前記携帯電話機と結合する第１結合手段と、
前記外部装置と結合する複数の第２結合手段と、
前記第１結合手段と複数の前記第２結合手段との間の信号の伝達及び分岐を制御する中央制御手段と、
を備えたことを特徴とする充電器。
【請求項２】
前記第１結合手段及び第２結合手段がＵＳＢ方式から構成されることを特徴とする請求項１記載の充電器。
【発明の詳細な説明】
【０００１】
【発明の属する技術分野】
本発明は、携帯電話機を充電するとともに、外部装置と結合できる充電器に関し、より詳しくは、複数の外部装置を接続できるＨＵＢ機能を備えたＵＳＢ方式の充電器に関するものである。
【０００２】
【従来の技術】
近年、携帯電話機は無線回線を介して電話をかけるだけでなく、伝達速度の早さに伴う情報量の多さから様々な情報の伝送及び保存ができる。特に携帯型テレビ電話装置は、画像の入出力部となるカメラとモニター、および音声の入出力部となるマイクとスピーカーとを有し、無線回線を介して、送信側は、カメラによって撮影した画像情報とマイクによって入力した音声情報を各々符号化して通信相手に送信し、受信側は、通信相手から送信された画像情報と音声情報を受信、復号し、モニターやスピーカーから画像及び音声を出力することによって、通信相手側からの画像を観ながら会話することを可能とする。
【０００３】
この携帯型テレビ電話装置はカメラで画像を取込んでデータ化したり、相手端末から画像データを受信することが可能であるため、画像データを内部のメモリに記憶し、電話帳のデータとリンクして使用することができる。これによって、画像を見ながらの電話番号の検索、画面表示された画像相手への発呼、及び着信時に名前とともに画像表示を表示することなどが可能となる。又、相手端末間で記憶した画像データの交換を行うことも出来る。
【０００４】
又、現在パソコン等のインターフェースに扱いが楽なＵＳＢ方式が用いられることが多く、携帯型テレビ電話装置のインターフェースにＵＳＢ方式を用い、ＵＳＢポートを有することにより、携帯型テレビ電話装置内部のメモリに記憶された画像データ、音声データ、電話帳データ、その他内部プログラムデータを、パソコンなどで手軽にリード／ライトすることが可能になる。又、携帯型テレビ電話装置自体がパソコンとして動作させれば、ハードディスクの様な外部周辺機器（デバイス装置）と接続するだけで簡単にハードディスクのデータにアクセスすることが可能となる。
【０００５】
【発明の解決しようとする課題】
実際に携帯型テレビ電話装置をＵＳＢ方式でパソコン等のホスト側に接続する場合、ＵＳＢケーブルの一方は携帯型テレビ電話装置に接続し、他方はパソコン乃至パソコンとＵＳＢ方式で接続されているＵＳＢハブに接続することになる。ここで、ＵＳＢハブに接続する場合は、パソコンに接続する外部周辺機器の個数に対応してＵＳＢハブの個数が増大することになる。
【０００６】
一方、携帯型テレビ電話装置をホスト側にして携帯型テレビ電話装置にデバイス装置を接続する場合、同じように使用する周辺機器の個数に対応してＵＳＢハブの個数を増やす必要がでてくる。
【０００７】
又、一般に携帯電話機はその携帯性ということから小型化が要求され小スペース的な問題からインターフェースを１つしか付けることが出来ない。そのため、、携帯型テレビ電話装置には外部装置を１つしか接続できないので、パソコン等に接続している状態からキーボードやマウス等のデバイス装置に接続する場合（反対の場合もある）はインターフェースが１つであるため、外して繋ぎ直す必要がある。
【０００８】
更に、携帯型テレビ電話装置がデバイス装置として他のホストパソコンと接続している場合、長時間ホストパソコンに従属して連続的に使用できるが、携帯型テレビ電話装置をホスト側として使用する場合は、内臓電池で動作している為、他のホストパソコンと比較して短時間で且つ断続的に使用することになる。このため、携帯型テレビ電話装置をホスト側として動作させるのは、バッテリーの面から見て好ましくないといった問題がある。
【０００９】
更に、携帯型テレビ電話装置で発呼をする時又は着呼する時には、パソコン又は外部周辺機器と接続しているケーブルが邪魔になることが多く取り外すことがある。しかし、ケーブル先端のコネクタは簡単に外れないように取り付けてあるのでその度に取り外すのに不便であった。
【００１０】
【課題を解決するための手段】
前記問題点を解決するために本発明の充電器は、携帯電話機を充電するとともに、外部装置と結合できる充電器において、前記携帯電話機と結合する第１結合手段と、前記外部装置と結合する複数の第２結合手段と、前記第１結合手段と複数の前記第２結合手段との間の信号の伝達及び分岐を制御する中央制御手段と、を備えたことを特徴とする。
【００１１】
又、本発明の充電器は、前記第１結合手段及び第２結合手段がＵＳＢ方式から構成されることを特徴とする。
【００１２】
【発明の実施の形態】
以下、本発明の一実施例に基づいて図を用いて説明する。尚、同一の構成を示す箇所は同一の符号を用いている。
図１は本発明の充電器の一実施例のブロック図である。図１の各構成部は、先ず１００は携帯電話機である携帯型テレビ電話装置、１１０はこの携帯型テレビ電話装置１００を充電する充電器を示し、携帯型テレビ電話装置１００の構成部は、１はカメラ等の撮像部、２はデータを一定の規則に基づいて画像データを符号化する符号化部、３は一時的にデータを記憶する送信バッファ、４はデータを伝達するデータバス、５はデータの送受信を行う無線部、６はアンテナ、７は受信用バッファ、８は符号化データを復号する復号部、９は画像や文字を表示する表示部、１０はハードディスクインターフェースのコントローラ、１１は画像データやプログラムデータ等のデータを格納しているハードディスク、１２は演算装置と制御装置を合わせ持つＣＰＵ、１３は外部装置とデータの送受信及び電源供給の為のＵＳＢポート、１４はＵＳＢポート１３の制御をするＵＳＢコントローラ、１５はバッテリーを示す。充電器１１０の構成部は、２０はパソコン等のホスト制御可能な外部装置を結合する第１のＵＳＢポート、２１は携帯型テレビ電話装置１００を結合する第２のＵＳＢポート、２２はコンセント等の電源供給接続部、２３は充電制御部、２４はマウス、キーボード、及びモニター等のデバイス装置を結合する第３のＵＳＢポート、２５は第３のＵＳＢポートのそれぞれの接続先を切替える接続切替えスイッチ、２６は接続切替えスイッチ２５に連動して第１のＵＳＢポートと第２のＵＳＢポートの接続切替えを行う接続切替え部、２７は信号の分岐及び伝達、外部装置の着脱や低速デバイスと高速デバイスの判定、電源の供給と管理機能を持ったＵＳＢハブ制御部を示す。
【００１３】
図１において、携帯型テレビ電話装置１００のそれぞれの構成部は以下のように動作する。撮像部１で撮像された画像データは符号化部２において符号化され、送信バッファ３に符号化データとして記憶される。送信バッファ３に記憶された符号化データは、データバス４を通り、無線部５に送られ、アンテナ６を介して通信相手側に送信される。又、通信相手側から無線部５にて受信した符号化データでは、データバス４を通り、受信バッファ７に記憶される。受信バッファ７に記憶された符号化データを、復号部８で画像データに復号され表示部９に表示される。使用者の要求に従いＣＰＵ１２は、撮像部１によって撮像された画像、および通信相手側から受信した画像を符号化された形で、ハードディスクコントローラ１０を介してハードディスク１１に記憶する。又、携帯型テレビ電話装置１００は、ＵＳＢポート１３とＵＳＢ対応の充電器１１０の第２のＵＳＢポート２１とを結合して、ＵＳＢコントローラ１４を介して、ハードディスク１１に記憶されている符号化データなどを外部装置からリード／ライトアクセスできる。更に、携帯型テレビ電話装置１００が大容量のハードディスクを有していることにより、１枚の画像データに割り当てられる容量を増加することが可能となり、高画質の画像を記憶することが可能となる。携帯型テレビ電話装置１００の電源の供給は、データと電源の供給が可能なＵＳＢ方式による充電器との結合によりＵＳＢコントローラ１４からバッテリー１５に供給される。
【００１４】
充電器１１０のそれぞれの構成部は以下のように動作する。第１のＵＳＢポート２０は、他のホストパソコンと接続し、第２のＵＳＢポート２１は携帯型テレビ電話装置１００のＵＳＢポート１３と接続し、第３のＵＳＢポート２４はマウスやキーボード等の外部周辺機器と接続する。ＵＳＢハブ制御部２７は、第１のＵＳＢポート２０、第２のＵＳＢポート２１、第３のＵＳＢポート２４の接続を管理する。又、接続切替え部２６はＵＳＢハブ制御部２７に接続される第１のＵＳＢポート２０と第２のＵＳＢポート２１の接続切替えを行なう。電源供給源から供給された電源電圧は充電制御部２３から、ＵＳＢハブ制御部２７及び第２のＵＳＢポート２１へと供給される。
【００１５】
通常、他のホストパソコンを接続する場合、他のホストパソコンはＵＳＢケーブルを介して第１のＵＳＢポート２０に接続し、接続切替え部２６により、第１のＵＳＢポート２０の接続先をホスト側としてＵＳＢハブ制御部２７に接続し、第２のＵＳＢポート２１に結合している携帯型テレビ電話装置１００はデバイス装置としてＵＳＢハブ制御部２７に接続される。一方、携帯型テレビ電話装置１００をホストパソコンとして使用する場合、接続切替え部２６により、第２のＵＳＢポート２１をホスト側としてＵＳＢハブ制御部２７に接続し、第１のＵＳＢポート２０はＵＳＢハブ制御部２７には接続されず切断された状態になる。つまりＵＳＢハブ制御２７では、外部装置への接続となる第１のＵＳＢポートが１つ空きになることになる。又、第３のＵＳＢポート２４に接続される外部周辺機器（デバイス装置）は、携帯型テレビ電話装置１００の周辺機器として接続されることになる。尚、接続の切替え時乃至携帯型テレビ電話装置１００を充電器１１０に接続した際に、接続切替えスイッチによる接続状態は携帯型テレビ電話装置１００に送られ、携帯型テレビ電話装置１００の内部のＣＰＵ１４でＵＳＢ接続における動作設定を変更・対応動作する。
【００１６】
図２は本発明の充電器の一実施例であって、携帯電話機と充電器の結合を示す図であり、図２（ａ）は本発明の充電器の正面図、図２（ｂ）は本発明の充電器の背面図を示す。
図２において、携帯型テレビ電話装置１００は、充電器１１０のＵＳＢポート２１と接続し、ＵＳＢポート２０はホストパソコンの方へとＵＳＢ接続される。ＵＳＢポート２４は外部周辺機器の方へとＵＳＢ接続される。電源ケーブル２２は商用電源につながるコンセントなどに接続し、供給された電源電圧はＵＳＢポート２１を介して、携帯型テレビ電話装置１００に供給され、内部のバッテリーが充電されるとともに、ＵＳＢポート２４から外部周辺機器へも電源電圧供給する。この様に、充電器１１０が、携帯型テレビ電話装置１００の充電としての動作と、第１のＵＳＢポート２０及び第２のＵＳＢポート２４が接続するＵＳＢハブとしての動作を１つの装置として行なうため、電源供給源の接続口数の削減化、小スペース化につながる。また、この図２によれば、充電器１１０に携帯型テレビ電話装置１００を載せるだけで簡単に充電器およびＵＳＢ接続可能な外部装置との接続が行えるとともに、携帯型テレビ電話装置１００に着信があったときは、充電器１１０から携帯型テレビ電話装置１００を簡単に取り外して着信に応答することが可能となる。
【００１７】
図３は本発明の充電器の一実施例であって、外部装置と接続されている接続例を示す図である。
図３において、携帯型テレビ電話装置１００は、充電器１１０に接続されている状態で、充電器１１０内のＵＳＢハブ制御部２７を介して、パソコン本体１２０、モニター１３０、及びキーボード１４０に接続されている。これによりパソコン本体１２０より、ディスプレィ１３０を観つつ、キーボード１４０による操作で、携帯型テレビ電話装置１００の内部のハードディスクにアクセスし、画像、音声データ、電話帳のデータやプログラムデータなどをリード／ライトしたり、また、携帯型テレビ電話装置の無線データ通信プログラムを用いて、無線公衆回線網での外部とのデータ通信を行なうことが可能となる。この際、充電器１１０から接続先切替え、および携帯型テレビ電話装置１００の動作設定を接続切替えスイッチ２５のみで行なうことが可能となる。
【００１８】
図４は本発明の充電器の一実施例であって、デバイス装置のみを接続した接続例を示す図である。
図４において、携帯型テレビ電話装置１００は、接続しているデバイス装置に対してホスト制御する装置として動作設定されている。又、モニター及びキーボード１４０は充電器１１０内のＵＳＢハブ制御部２７を介して携帯型テレビ電話装置１００の外部周辺機器として接続されている。これにより、携帯型テレビ電話装置１００の操作入力を、携帯型テレビ電話装置１００自体のキーボードを用いず、外部周辺機器として接続されているキーボード１４０を用いて入力することが可能となる。
【００１９】
これによりホスト側の携帯型テレビ電話装置１００を長時間、連続的に使用することが出来る。これら充電器１１０からの接続先切替え、および携帯型テレビ電話装置１００の動作設定を接続切替えスイッチ２５のみで行なうことが可能となる。
【００２０】
又、図中の符号２９は携帯型テレビ電話装置１００と充電器１１０を固定しているロック機構（図示せず）を解除するロック解除スイッチを示す。
【００２１】
【発明の効果】
以上、本発明によれば、充電器にＵＳＢ方式のインターフェースと中央制御手段（ＵＳＢハブ制御部）を具備したことによって、外部装置を複数接続でき且つそれぞれの信号の伝達及び分岐制御が出来る。更に、充電器と接続している携帯電話機は外部装置と簡単にアクセスでき、着脱も容易に出来る。又、それぞれのインターフェースをＵＳＢ方式で構成したことは、電源の供給とともに信号の伝達が１つのポートで行えることを可能とし、携帯電話機及び外部装置の信号の伝達及び分岐を制御する中央制御手段（ＵＳＢハブ制御部）を充電器に備えたことは、複数の外部装置を接続でき且つ通常のホストパソコンと携帯電話機での間でどちらをホストにするかの切替えを可能としたのでポート接続のさし直しをする必要がなくなった。
【００２２】
又、携帯電話機は充電器から電源の供給を受けながら常時外部装置とアクセスしているので、長時間及び連続使用によるバッテリーの消耗を気にすることなく使用することが出来る。
【図面の簡単な説明】
【図１】本発明の充電器の一実施例のブロック図。
【図２】本発明の充電器の一実施例であって、携帯電話機と充電器の結合を示す図。
【図３】本発明の充電器の一実施例であって、外部装置と接続されている接続例を示す図。
【図４】図４は本発明の充電器の一実施例であって、デバイス装置のみを接続した接続例を示す図。
【符号の説明】
１：撮像部
２：符号化部
３：送信バッファ
４：データバス
５：無線部
６：アンテナ部
７：受信用バッファ
８：復号部
９：表示部
１０：ハードディスクコントローラ
１１：ハードディスク
１２：ＣＰＵ
１３：ＵＳＢポート
１４：ＵＳＢコントローラ
１５：バッテリー
２０：第１のＵＳＢポート
２１：第２のＵＳＢポート
２２：電源供給接続部
２３：充電制御部
２４：第３のＵＳＢポート
２５：接続切替えスイッチ
２６：接続切替え部
２７：ＵＳＢハブ制御部
１００：携帯型テレビ電話装置
１１０：充電器
１２０：パソコン本体
１３０：モニター
１４０：キーボード
【図１】
0003556489.tif 000002
【図２】
0003556489.tif 000003
【図３】
0003556489.tif 000004
【図４】
0003556489.tif 000005